【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）で、マシンタイプ通信（ＭＴＣ）用の基地局によってサポートされるチャネルの１つまたは複数の特性を識別することと、前記１つまたは複数の特性は、ブロードキャストチャネルを介して前記基地局から受信された信号内の１つまたは複数のビットに少なくとも部分的に基づいて識別される、
前記ＵＥで、フレーム内の１つまたは複数のサブフレームの間に第１の基地局から、および同じフレーム内の１つまたは複数の異なるサブフレームの間に第２の基地局から、ＭＴＣ情報を受信することと、
前記第１の基地局から受信された前記ＭＴＣ情報に少なくとも部分的に基づいて、前記第１の基地局用の第１のチャネル基準値を決定することと、
前記第２の基地局から受信された前記ＭＴＣ情報に少なくとも部分的に基づいて、前記第２の基地局用の第２のチャネル基準値を決定することと、
前記ＵＥとの関連付けのために、前記第１の基地局および前記第２の基地局のうちの１つを選択することと、前記選択は、前記第１のチャネル基準値および前記第２のチャネル基準値に少なくとも部分的に基づく、
前記１つまたは複数のチャネル特性に基づいて、前記基地局とＭＴＣ情報を通信することと
を備える、方法。
【請求項２】
ＭＴＣ用の前記チャネルは、リソースブロックの対応するセットを有し、
前記１つまたは複数の特性は、リソースブロックの前記セットの周波数オフセットを識別する、請求項１に記載の方法。
【請求項３】
ＭＴＣ用の前記チャネルは、リソースブロックの対応するセットを有し、
前記１つまたは複数の特性は、異なるサブフレーム内のリソースブロックの前記セットの場所を識別する、請求項１に記載の方法。
【請求項４】
ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、請求項１に記載の方法。
【請求項５】
前記基地局とＭＴＣ情報を通信するためのリソースブロックの前記１つまたは複数の追加セットからのリソースブロックの第１のセットとリソースブロックの第２のセットとの間で選択することをさらに備える、請求項４に記載の方法。
【請求項６】
前記選択することは、
前記ＵＥのユニークな識別子内の特定のビットを識別することと、
前記ビットの値に基づいて、リソースブロックの前記第１のセットとリソースブロックの前記第２のセットとの間で選択することとをさらに備える、請求項５に記載の方法。
【請求項７】
前記１つまたは複数の特性は、前記基地局がＭＴＣ用の前記チャネルをサポートする１つまたは複数の時間期間を識別し、前記方法は、
前記１つまたは複数の時間期間に従って、前記基地局とＭＴＣ情報を通信するために前記ＵＥを起こすことをさらに備える、請求項１に記載の方法。
【請求項８】
ワイヤレス通信のための装置であって、
ユーザ機器（ＵＥ）で、マシンタイプ通信（ＭＴＣ）用の基地局によってサポートされるチャネルの１つまたは複数の特性を識別するための手段と、前記１つまたは複数の特性は、ブロードキャストチャネルを介して前記基地局から受信された信号内の１つまたは複数のビットに少なくとも部分的に基づいて識別される、
前記ＵＥで、フレーム内の１つまたは複数のサブフレームの間に第１の基地局から、および同じフレーム内の１つまたは複数の異なるサブフレームの間に第２の基地局から、ＭＴＣ情報を受信するための手段と、
前記第１の基地局から受信された前記ＭＴＣ情報に少なくとも部分的に基づいて、前記第１の基地局用の第１のチャネル基準値を決定するための手段と、
前記第２の基地局から受信された前記ＭＴＣ情報に少なくとも部分的に基づいて、前記第２の基地局用の第２のチャネル基準値を決定するための手段と、
前記ＵＥとの関連付けのために、前記第１の基地局および前記第２の基地局のうちの１つを選択するための手段と、前記選択は、前記第１のチャネル基準値および前記第２のチャネル基準値に少なくとも部分的に基づく、
前記１つまたは複数のチャネル特性に基づいて、前記基地局とＭＴＣ情報を通信するための手段と
を備える、装置。
【請求項９】
ＭＴＣ用の前記チャネルは、リソースブロックの対応するセットを有し、
前記１つまたは複数の特性は、リソースブロックの前記セットの周波数オフセットを識別する、請求項８に記載の装置。
【請求項１０】
ＭＴＣ用の前記チャネルは、リソースブロックの対応するセットを有し、
前記１つまたは複数の特性は、異なるサブフレーム内のリソースブロックの前記セットの場所を識別する、請求項８に記載の装置。
【請求項１１】
ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、請求項８に記載の装置。
【請求項１２】
前記基地局とＭＴＣ情報を通信するためのリソースブロックの前記１つまたは複数の追加セットからのリソースブロックの第１のセットとリソースブロックの第２のセットとの間で選択するための手段をさらに備える、請求項１１に記載の装置。
【請求項１３】
選択するための前記手段は、
前記ＵＥのユニークな識別子内の特定のビットを識別するための手段と、
前記ビットの値に基づいて、リソースブロックの前記第１のセットとリソースブロックの前記第２のセットとの間で選択するための手段とをさらに備える、請求項１２に記載の装置。
【請求項１４】
前記１つまたは複数の特性は、前記基地局がＭＴＣ用の前記チャネルをサポートする１つまたは複数の時間期間を識別し、前記装置は、
前記１つまたは複数の時間期間に従って、前記基地局とＭＴＣ情報を通信するために前記ＵＥを起こすための手段をさらに備える、請求項８に記載の装置。
【請求項１５】
請求項１から請求項７に記載された方法を実行するための命令を備える、コンピュータプログラム。
【手続補正２】
【補正対象書類名】明細書
【補正対象項目名】０１９２
【補正方法】変更
【補正の内容】
【０１９２】
[0220]いくつかの実施形態では、非一時的コンピュータ可読媒体は、１つまたは複数のサブフレームのうちの１つのサブフレームの間、ＭＴＣ情報を通信するためのリソースブロックの第１のセットを割り当てることを少なくとも１つのコンピュータに行わせるためのコードと、１つまたは複数のサブフレームのうちの別のサブフレームの間、ＭＴＣ情報を通信するための、リソースブロックの第１のセットとは異なるリソースブロックの第２のセットを割り当てることを少なくとも１つのコンピュータに行わせるためのコードとを有する場合がある。いくつかの実施形態では、非一時的コンピュータ可読媒体は、第１の基地局の負荷に少なくとも部分的に基づいて、第１の基地局によってＭＴＣ情報を通信するための期間を調整することを少なくとも１つのコンピュータに行わせるためのコードを有する場合がある。いくつかの実施形態では、１つまたは複数の異なるサブフレームの間のＭＴＣに割り当てられたリソースブロックのセットの間、情報が通信されないように第２の基地局が使用不可にされ得るし、非一時的コンピュータ可読媒体は、１つまたは複数の異なるサブフレーム内のリソースブロックのセットの間、ＭＴＣ情報を通信するために第１の基地局を使用可能にすることを少なくとも１つのコンピュータに行わせるためのコードを有する場合がある。いくつかの実施形態では、調整情報に少なくとも部分的に基づいて、第１の基地局および第２の基地局は、ＭＴＣに割り当てられたリソースブロックの対応するセット内で、実質的に同じ電力でＭＴＣ情報を通信することができる。
以下に本願の出願当初の特許請求の範囲に記載された発明を付記する。
[Ｃ１]  ワイヤレス通信のための方法であって、
ユーザ機器（ＵＥ）で、マシンタイプ通信（ＭＴＣ）用の基地局によってサポートされるチャネルの１つまたは複数の特性を識別することと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信することとを備える、方法。
[Ｃ２]  ＭＴＣ用の前記チャネルは、リソースブロックの対応するセットを有し、
前記１つまたは複数の特性は、リソースブロックの前記セットの周波数オフセットを識別する、Ｃ１に記載の方法。
[Ｃ３]  ＭＴＣ用の前記チャネルは、リソースブロックの対応するセットを有し、
前記１つまたは複数の特性は、異なるサブフレーム内のリソースブロックの前記セットの場所を識別する、Ｃ１に記載の方法。
[Ｃ４]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１に記載の方法。
[Ｃ５]  前記基地局とＭＴＣ情報を通信するためのリソースブロックの前記１つまたは複数の追加セットから、リソースブロックの第１のセットとリソースブロックの第２のセットとの間を選択することをさらに備える、Ｃ４に記載の方法。
[Ｃ６]  前記選択することは、
前記ＵＥのユニークな識別子内の特定のビットを識別することと、
前記ビットの値に基づいて、リソースブロックの前記第１のセットとリソースブロックの前記第２のセットとの間を選択することとをさらに備える、Ｃ５に記載の方法。
[Ｃ７]  前記１つまたは複数の特性は、前記基地局がＭＴＣ用の前記チャネルをサポートする１つまたは複数の時間期間を識別し、前記方法は、
前記１つまたは複数の時間期間に従って、前記基地局とＭＴＣ情報を通信するために前記ＵＥを起こすことをさらに備える、Ｃ１に記載の方法。
[Ｃ８]  前記ＵＥで、フレーム内の１つまたは複数のサブフレームの間で第１の基地局から、および前記同じフレーム内の１つまたは複数の異なるサブフレームの間で第２の基地局から、ＭＴＣ情報を受信することと、
前記第１の基地局から受信された前記ＭＴＣ情報に少なくとも部分的に基づいて、前記第１の基地局用の第１のチャネル基準値を決定することと、
前記第２の基地局から受信された前記ＭＴＣ情報に少なくとも部分的に基づいて、前記第２の基地局用の第２のチャネル基準値を決定することとをさらに備える、Ｃ１に記載の方法。
[Ｃ９]  前記ユーザ機器との関連付けのために、前記第１の基地局および前記第２の基地局のうちの１つを選択することをさらに備え、前記選択は、前記第１のチャネル基準値および前記第２のチャネル基準値に少なくとも部分的に基づく、Ｃ８に記載の方法。
[Ｃ１０]  ワイヤレス通信のための装置であって、
ユーザ機器（ＵＥ）で、マシンタイプ通信（ＭＴＣ）用の基地局によってサポートされるチャネルの１つまたは複数の特性を識別するための手段と、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信するための手段とを備える、装置。
[Ｃ１１]  ＭＴＣ用の前記チャネルは、リソースブロックの対応するセットを有し、
前記１つまたは複数の特性が、リソースブロックの前記セットの周波数オフセットを識別する、Ｃ１０に記載の装置。
[Ｃ１２]  ＭＴＣ用の前記チャネルは、リソースブロックの対応するセットを有し、
前記１つまたは複数の特性が、異なるサブフレーム内のリソースブロックの前記セットの場所を識別する、Ｃ１０に記載の装置。
[Ｃ１３]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１０に記載の装置。
[Ｃ１４]  前記基地局とＭＴＣ情報を通信するためのリソースブロックの前記１つまたは複数の追加セットから、リソースブロックの第１のセットとリソースブロックの第２のセットとの間を選択するための手段をさらに備える、Ｃ１３に記載の装置。
[Ｃ１５]  選択するための前記手段は、
前記ＵＥのユニークな識別子内の特定のビットを識別するための手段と、
前記ビットの値に基づいて、リソースブロックの前記第１のセットとリソースブロックの前記第２のセットとの間を選択するための手段とをさらに備える、Ｃ１４に記載の装置。
[Ｃ１６]  前記１つまたは複数の特性は、前記基地局がＭＴＣ用の前記チャネルをサポートする１つまたは複数の時間期間を識別し、前記装置は、
前記１つまたは複数の時間期間に従って、前記基地局とＭＴＣ情報を通信するために前記ＵＥを起こすための手段をさらに備える、Ｃ１０に記載の装置。
[Ｃ１７]  ワイヤレス通信のための装置であって、
ユーザ機器（ＵＥ）で、マシンタイプ通信（ＭＴＣ）用の基地局によってサポートされるチャネルの１つまたは複数の特性を識別するように構成されたＭＴＣモジュールと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信するように構成されたトランシーバモジュールとを備える、装置。
[Ｃ１８]  ＭＴＣ用の前記チャネルは、リソースブロックの対応するセットを有し、
前記１つまたは複数の特性が、リソースブロックの前記セットの周波数オフセットを識別する、Ｃ１７に記載の装置。
[Ｃ１９]  ＭＴＣ用の前記チャネルは、リソースブロックの対応するセットを有し、
前記１つまたは複数の特性は、異なるサブフレーム内のリソースブロックの前記セットの場所を識別する、Ｃ１７に記載の装置。
[Ｃ２０]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ１７に記載の装置。
[Ｃ２１]  前記ＭＴＣモジュールは、前記基地局とＭＴＣ情報を通信するためのリソースブロックの前記１つまたは複数の追加セットから、リソースブロックの第１のセットとリソースブロックの第２のセットとの間を選択するようにさらに構成された、Ｃ２０に記載の装置。
[Ｃ２２]  前記ＭＴＣモジュールは、
前記ＵＥのユニークな識別子内の特定のビットを識別し、
前記ビットの値に基づいて、リソースブロックの前記第１のセットとリソースブロックの前記第２のセットとの間を選択するようにさらに構成された、Ｃ２１に記載の装置。
[Ｃ２３]  前記１つまたは複数の特性は、前記基地局がＭＴＣ用の前記チャネルをサポートする１つまたは複数の時間期間を識別し、前記装置は、
前記１つまたは複数の時間期間に従って、前記基地局とＭＴＣ情報を通信するために前記ＵＥを起こすように構成されたプロセッサモジュールをさらに備える、Ｃ１７に記載の装置。
[Ｃ２４]  ワイヤレス通信のための非一時的コンピュータ可読媒体であって、
ユーザ機器（ＵＥ）で、マシンタイプ通信（ＭＴＣ）用の基地局によってサポートされるチャネルの１つまたは複数の特性を識別することを少なくとも１つのコンピュータに行わせるためのコードと、前記１つまたは複数の特性は、ブロードキャストチャネルを介して前記基地局から受信された信号内の１つまたは複数のビットに少なくとも部分的に基づいて識別される、
前記１つまたは複数のチャネル特性に基づいて、前記基地局とＭＴＣ情報を通信することを前記少なくとも１つのコンピュータに行わせるためのコードとを備える、非一時的コンピュータ可読媒体。
[Ｃ２５]  ＭＴＣ用の前記チャネルは、リソースブロックの対応するセットを有し、
前記１つまたは複数の特性は、リソースブロックの前記セットの周波数オフセットを識別する、Ｃ２４に記載のコンピュータ可読媒体。
[Ｃ２６]  ＭＴＣ用の前記チャネルは、リソースブロックの対応するセットを有し、
前記１つまたは複数の特性は、異なるサブフレーム内のリソースブロックの前記セットの場所を識別する、Ｃ２４に記載のコンピュータ可読媒体。
[Ｃ２７]  ＭＴＣ用の前記チャネルは、リソースブロックの対応するセットを有し、
前記基地局は、ＭＴＣ用の１つまたは複数の追加チャネルをサポートし、ＭＴＣ用の前記１つまたは複数の追加チャネルの各々は、前記基地局によってサポートされる任意の他のチャネルのリソースブロックとは異なるリソースブロックの対応するセットを有し、
前記１つまたは複数の特性は、同じサブフレーム内のリソースブロックの各セットの場所を識別する、Ｃ２４に記載のコンピュータ可読媒体。
[Ｃ２８]  前記基地局とＭＴＣ情報を通信するためのリソースブロックの前記１つまたは複数の追加セットから、リソースブロックの第１のセットとリソースブロックの第２のセットとの間を選択することを前記少なくとも１つのコンピュータに行わせるためのコードをさらに備える、Ｃ２７に記載のコンピュータ可読媒体。
[Ｃ２９]  前記ＵＥのユニークな識別子内の特定のビットを識別することを前記少なくとも１つのコンピュータに行わせるためのコードと、
前記ビットの値に基づいて、リソースブロックの前記第１のセットとリソースブロックの前記第２のセットとの間を選択することを前記少なくとも１つのコンピュータに行わせるためのコードとをさらに備える、Ｃ２８に記載のコンピュータ可読媒体。
[Ｃ３０]  前記１つまたは複数の特性は、前記基地局がＭＴＣ用の前記チャネルをサポートする１つまたは複数の時間期間を識別し、
前記コンピュータ可読媒体は、前記１つまたは複数の時間期間に従って、前記基地局とＭＴＣ情報を通信するために前記ＵＥを起こすことを前記少なくとも１つのコンピュータに行わせるためのコードをさらに備える、Ｃ２４に記載のコンピュータ可読媒体。